(57)【特許請求の範囲】
【請求項１】
通信ネットワーク上を伝播する通信パケットを取り込みその情報により当該通信ネットワークの通信品質を評価するネットワーク品質評価装置において、
前記通信パケットを取り込みタイムスタンプと共に情報として出力する取り込み手段と、
この取り込み手段が出力する前記情報のうち一定期間の情報が記憶されるリングメモリと、
前記通信ネットワークに接続されたプローブマネージャとの間で通信を行う通信回路と、
装置全体を制御すると共に通常状態では前記リングメモリに記憶されている前記一定期間の情報を間引いて読み出して前記プローブマネージャに送信し、前記プローブマネージャから詳細読み出し要求があった場合には前記リングメモリに記憶されている前記一定期間の情報をそのまま読み出して前記プローブマネージャに送信する制御回路と
を備えたことを特徴とするネットワーク品質評価装置。
【請求項２】
前記制御回路が、
前記詳細読み出し要求のあった送信情報に対応する前後の情報を読み出して前記プローブマネージャに送信することを特徴とする
請求項１記載のネットワーク品質評価装置。
【請求項３】
前記制御回路が、
前記詳細読み出し要求のあった送信情報に対応する前後の情報を前記通信ネットワーク負荷に応じて分割して送信することを特徴とする
請求項２記載のネットワーク品質評価装置。
【請求項４】
前記制御回路が、
前記詳細読み出し要求のあった場合に間引き間隔を短くして前記情報を読み出して前記プローブマネージャに送信することを特徴とする
請求項１記載のネットワーク品質評価装置。
【請求項５】
前記制御回路が、
前記詳細読み出し要求のあった場合に既に前記プローブマネージャに送信した情報以外の情報を読み出して送信することを特徴とする
請求項１乃至請求項４のいずれかに記載のネットワーク品質評価装置。
【請求項６】
前記制御回路が、
前記詳細読み出し要求のあった場合に要求のあった情報を送信した時点、若しくは、前記詳細読み出し要求時から一定時間経過後に自主的に詳細読み出し要求を解除することを特徴とする
請求項１乃至請求項４のいずれかに記載のネットワーク品質評価装置。
【請求項７】
前記制御回路が、
前記プローブマネージャの機能を有することを特徴とする
請求項１乃至請求項５のいずれかに記載のネットワーク品質評価装置。
【請求項８】
前記リングメモリが、
半導体メモリから構成されることを特徴とする
請求項１記載のネットワーク品質評価装置。
【請求項９】
前記リングメモリが、
磁気ディスクから構成されることを特徴とする
請求項１記載のネットワーク品質評価装置。
【発明の詳細な説明】
【０００１】
【発明の属する技術分野】
本発明は、通信ネットワーク上を伝播する通信パケットを取り込みその情報により当該通信ネットワークの通信品質を評価するネットワーク品質評価装置に関し、特にプローブとプローブマネージャとの間の通信の情報量を低減することが可能なネットワーク品質評価装置に関する。
【０００２】
【従来の技術】
従来のネットワーク品質評価装置は通信ネットワーク上を伝播する通信パケットを通信ネットワークの各ポイントで測定し、測定された通信パケットに基づいて通信ネットワーク回線の通信品質を評価したり、トラフィックを監視したり等を行うものである。
【０００３】
例えば、このようなネットワーク品質評価装置としては本願出願人の出願に係る「特願平１１−２７４２７３号（特開２００１−１０３０９０号公報）」や「特願平１１−３０４２１５号（特開２００１−１２７７９５号公報）」等が存在する。
【０００４】
そして、図７はこのような従来のネットワーク品質評価装置の一例を示す構成ブロック図である。図７において１はタップ回路、２は物理層回路、３はフィルタ回路、４はタイマ回路、５はデータをメモリに書き込む書込回路、６はメモリ、７はデータをメモリから読み出す読出回路、８は書込回路５及び読出回路７の動作を制御するメモリ制御回路、９はプローブ全体の制御を行う制御回路、１０はルータを介して通信を行う通信回路である。
【０００５】
また、図７において１〜１０はプローブ５０を、１〜４は通信パケットの取り込み手段５１をそれぞれ構成し、１〜１０で構成される構成ブロック図は図７中”ＰＢ０１”に示すプローブの詳細を示している。さらに、図７中”Ｒ”はルータを、”Ｐ”はプローブをそれぞれ表している。
【０００６】
図７中”ＮＴ０１”はＩＳＰ（Internet Service Provider：以下、単にプロバイダーと呼ぶ。）が提供するネットワークであり、図７中”ＮＴ０１”に示すネットワークは複数のルータを介して回線相互が接続されている。
【０００７】
また、図７中”ＣＭ０１”及び”ＣＭ０２”に示す企業もまたルータを介して図７中”ＮＴ０１”に示すネットワークに接続され、図７中”ＰＭ０１”に示すプローブマネージャもまたルータを介して図７中”ＮＴ０１”に示すネットワークに接続される。
【０００８】
そして、図７中”ＣＭ０１”及び”ＣＭ０２”に示す企業のルータのポートには図７中”ＰＢ０１”及び”ＰＢ０２”に示すプローブがそれぞれ接続される。
【０００９】
一方、プローブ５０において、ネットワークを伝播する通信パケットはタップ回路１に入力され、タップ回路１の出力は物理層回路２に接続される。物理層回路２の出力はフィルタ回路３を介して書込回路５に接続され、タイマ回路４の出力もまた書込回路５に接続される。
【００１０】
書込回路５の出力はメモリ６に接続される。メモリ６の出力は読出回路７に接続され、読出回路７の出力は制御回路９に接続される。
【００１１】
また、制御回路９の通信出力は通信回路１０を介してネットワーク上に送信される。さらに、メモリ制御回路８の制御信号は書込回路５及び読出回路７にそれぞれ接続され、制御回路９の制御信号がタイマ回路４及びメモリ制御回路８にそれぞれ接続される。
【００１２】
ここで、図７に示す従来例の動作を説明する。タップ回路１はネットワーク上を伝播する通信パケットを通信を妨げることなく抽出し、抽出された通信パケットは物理層回路２によりロジック信号に変換され、フィルタ回路３により指定された通信パケットから必要なパケット若しくはデータを選択的に取り出す。
【００１３】
書込回路５はフィルタ回路３によって選択されたパケット若しくはデータとタイマ回路４が出力するタイムスタンプと共に受け取り（以下、パケット若しくはデータとタイムスタンプを単に情報と呼ぶ。）、メモリ制御回路８の制御に基づき受け取った情報をメモリ６に書き込む。
【００１４】
一方、読出回路７はメモリ制御回路８の制御に基づきメモリ６から情報を読み出して制御回路９に出力し、制御回路９は読み出された情報を通信回路１０を介して図７中”ＰＭ０１”に示すプローブマネージャに送信する。
【００１５】
例えば、図７中”ＰＭ０１”に示すプローブマネージャは図７中”ＣＭ０１”に示す企業のルータに接続された図７中”ＰＢ０１”に示すプローブで抽出された特定のパケット情報と、図７中”ＣＭ０２”に示す企業のルータに接続された図７中”ＰＢ０２”に示すプローブで抽出された特定のパケット情報とを照合して、２つの企業間でのパケットロス、遅延時間、遅延ゆらぎ、スループット等の通信品質項目についての測定を行う。
【００１６】
この結果、通信ネットワーク上で通信パケットを監視したいルータのポートにプローブを接続して特定の通信パケットを抽出して、プローブマネージャで抽出した通信パケットを解析することにより、パケットロス、遅延時間、遅延ゆらぎ、スループット等の通信品質項目についての測定を行うことが可能になる。
【００１７】
【発明が解決しようとする課題】
しかし、図７に示す従来例では、図７中”ＰＢ０１”及び”ＰＢ０２”に示すプローブから図７中”ＰＭ０１”に示すプローブマネージャに対して情報であるパケット若しくはデータとタイムスタンプが送信される。
【００１８】
このような、プローブとプローブマネージャとの間の通信が図７中”ＮＴ０１”に示すネットワークを介して行われる場合、プローブとプローブマネージャとの間の通信の情報量によっては図７中”ＮＴ０１”に示すネットワークの負荷が増大してしまい、本来の通信を阻害してしまうと言った問題点があった。
従って本発明が解決しようとする課題は、プローブとプローブマネージャとの間の通信の情報量を減少させることが可能なネットワーク品質評価装置を実現することにある。
【００１９】
【課題を解決するための手段】
このような課題を達成するために、本発明のうち請求項１記載の発明は、
通信ネットワーク上を伝播する通信パケットを取り込みその情報により当該通信ネットワークの通信品質を評価するネットワーク品質評価装置において、
前記通信パケットを取り込みタイムスタンプと共に情報として出力する取り込み手段と、この取り込み手段が出力する前記情報のうち一定期間の情報が記憶されるリングメモリと、前記通信ネットワークに接続されたプローブマネージャとの間で通信を行う通信回路と、装置全体を制御すると共に通常状態では前記リングメモリに記憶されている前記一定期間の情報を間引いて読み出して前記プローブマネージャに送信し、前記プローブマネージャから詳細読み出し要求があった場合には前記リングメモリに記憶されている前記一定期間の情報をそのまま読み出して前記プローブマネージャに送信する制御回路とを備えたことにより、全体としてプローブとプローブマネージャとの間の通信の情報量を減少させることが可能になる。
【００２０】
請求項２記載の発明は、
請求項１記載の発明であるネットワーク品質評価装置において、
前記制御回路が、
前記詳細読み出し要求のあった送信情報に対応する前後の情報を読み出して前記プローブマネージャに送信することにより、全体としてプローブとプローブマネージャとの間の通信の情報量を減少させることが可能になる。
【００２１】
請求項３記載の発明は、
請求項２記載の発明であるネットワーク品質評価装置において、
前記制御回路が、
前記詳細読み出し要求のあった送信情報に対応する前後の情報を前記通信ネットワーク負荷に応じて分割して送信することにより、ネットワーク負荷がある時点に集中することを防止できる。
【００２２】
請求項４記載の発明は、
請求項１記載の発明であるネットワーク品質評価装置において、
前記制御回路が、
前記詳細読み出し要求のあった場合に間引き間隔を短くして前記情報を読み出して前記プローブマネージャに送信することにより、ネットワーク負荷がある時点に集中することを防止できる。
【００２３】
請求項５記載の発明は、
請求項１乃至請求項４のいずれかに記載の発明であるネットワーク品質評価装置において、
前記制御回路が、
前記詳細読み出し要求のあった場合に既に前記プローブマネージャに送信した情報以外の情報を読み出して送信することにより、重複した情報の送信を防ぐことができるので、全体としてプローブとプローブマネージャとの間の通信の情報量を減少させることが可能になる。
【００２４】
請求項６記載の発明は、
請求項１乃至請求項４のいずれかに記載の発明であるネットワーク品質評価装置において、
前記制御回路が、
前記詳細読み出し要求のあった場合に要求のあった情報を送信した時点、若しくは、前記詳細読み出し要求時から一定時間経過後に自主的に詳細読み出し要求を解除することにより、プローブマネージャに不具合が生じても詳細情報の送信は解除されるので、全体としてプローブとプローブマネージャとの間の通信の情報量を減少させることが可能になる。
【００２５】
請求項７記載の発明は、
請求項１乃至請求項５のいずれかに記載の発明であるネットワーク品質評価装置において、
前記制御回路が、
前記プローブマネージャの機能を有することにより、プローブマネージャの機能が統合されたプローブではプローブマネージャに対する通信がなくなるので、全体としてプローブとプローブマネージャとの間の通信の情報量を減少させることが可能になる。
【００２６】
請求項８記載の発明は、
請求項１記載の発明であるネットワーク品質評価装置において、
前記リングメモリが、
半導体メモリから構成されることにより、全体としてプローブとプローブマネージャとの間の通信の情報量を減少させることが可能になる。
【００２７】
請求項９記載の発明は、
請求項１記載の発明であるネットワーク品質評価装置において、
前記リングメモリが、
磁気ディスクから構成されることにより、全体としてプローブとプローブマネージャとの間の通信の情報量を減少させることが可能になる。
【００２８】
【発明の実施の形態】
以下本発明を図面を用いて詳細に説明する。図１は本発明に係るネットワーク品質評価装置の一実施例を示す構成ブロック図である。
【００２９】
図１において１〜５，７，９，１０及び５１は図７と同一符号を付してあり、図１において１１は半導体メモリを用いたリングメモリ、１２は詳細読み出し時にリングメモリ１１を制御するメモリ制御回路、１３は間引き読み出し時にリングメモリ１１を制御するメモリ制御回路である。
【００３０】
また、１〜５，７，９，１０，１１，１２及び１３はプローブ５０ａを構成し、プローブ５０ａは図１中”ＰＢ１１”に示すプローブの詳細を示している。さらに、図１中”Ｒ”はルータを、”Ｐ”はプローブをそれぞれ表している。
【００３１】
図１中”ＮＴ１１”はプロバイダーが提供するネットワークであり、図１中”ＮＴ１１”に示すネットワークは複数のルータを介して回線相互が接続されている。
【００３２】
また、図１中”ＣＭ１１”及び”ＣＭ１２”に示す企業もまたルータを介して図１中”ＮＴ１１”に示すネットワークに接続され、図１中”ＰＭ１１”に示すプローブマネージャもまたルータを介して図１中”ＮＴ１１”に示すネットワークに接続される。
【００３３】
そして、図１中”ＣＭ１１”及び”ＣＭ１２”に示す企業のルータのポートには図１中”ＰＢ１１”及び”ＰＢ１２”に示すプローブがそれぞれ接続される。
【００３４】
一方、プローブ５０ａにおいて、ネットワークを伝播する通信パケットはタップ回路１に入力され、タップ回路１の出力は物理層回路２に接続される。物理層回路２の出力はフィルタ回路３を介して書込回路５に接続され、タイマ回路４の出力もまた書込回路５に接続される。
【００３５】
書込回路５の出力はリングメモリ１１に接続される。リングメモリ１１の出力は読出回路７に接続され、読出回路７の出力は制御回路９に接続される。
【００３６】
また、制御回路９の通信出力は通信回路１０を介してネットワーク上に送信される。さらに、メモリ制御回路１２及び１３の制御信号は書込回路５及び読出回路７にそれぞれ接続され、制御回路９の制御信号がタイマ回路４とメモリ制御回路１２及び１３にそれぞれ接続される。
【００３７】
ここで、図１に示す実施例の動作を図２、図３、図４及び図５を用いて説明する。図２は制御回路９の動作を説明するフロー図、図３はリングメモリ１１の記憶動作を説明する説明図、図４はデータの読み出し方を説明するタイミング図、図５は図１中”ＰＭ１１”に示すプローブマネージャの動作を説明するフロー図である。
【００３８】
図２中”Ｓ００１”において制御回路９は通常動作時にメモリ制御回路１３を制御してリングメモリ１１から情報を間引いて読み出す。
【００３９】
例えば、プローブ５０ａが１秒毎に情報を取り込んでいるものと想定した場合、メモリ制御回路１３は１分に１回１秒分の情報をリングメモリ１１から読み出して制御回路９に出力する。
【００４０】
すなわち、例えば、図３中”ＤＴ２１”に示すリングメモリ１１に記憶された情報から、図３中”ＩＴ２１”に示す間引き間隔で情報を読み出して行く。
【００４１】
ちなみに、リングメモリ１１には図４中”ＴＡ３１”及び”ＥＡ３１”に示す先頭アドレス及び最終アドレスが割り振られており、図４中”ＷＰ３１”に示すライトポインタに取り込んだ情報を記憶し、ライトポインタを次のアドレスに移動させ取り込んだ情報を順次記憶して行く。
【００４２】
例えば、図４中”ＷＰ３２”に示す位置（アドレス）にライトポインタが移動した場合には、図４中”ＤＴ３１”に示す情報が記憶されていることになる。
【００４３】
また、例えば、ライトポインタが図４中”ＥＡ３１”に示す最終アドレスに到達してしまった場合には、図４中”ＷＰ３３”に示すようにライトポインタは図４中”ＴＡ３１”に示す先頭アドレスに戻り図４中”ＯＷ３１”に示すように情報を上書きして行く。
【００４４】
このような動作により、リングメモリ１１には取り込まれた情報の内、一定期間の情報が記憶されることになる。
【００４５】
そして、図２中”Ｓ００２”において制御回路９は通信回路１０を制御して読み出した情報を図１中”ＮＴ１１”に示すネットワークを介して図１中”ＰＭ１１”に示すプローブマネージャに対して送信する。
【００４６】
そして、図２中”Ｓ００３”において制御回路９は図１中”ＰＭ１１”に示すプローブマネージャから詳細読み出しの要求があったか否かを判断し、もし、詳細読み出し要求がなければ図２中”Ｓ００１”に示すステップに戻る。
【００４７】
もし、図２中”Ｓ００３”において詳細読み出しの要求があった場合には、図２中”Ｓ００４”において制御回路９はメモリ制御回路１２を制御してリングメモリ１１から図１中”ＰＭ１１”に示すプローブマネージャからの詳細読み出しの要求のあった情報の前後の所定の情報を読み出す。
【００４８】
例えば、メモリ制御回路１２は図１中”ＰＭ１１”に示すプローブマネージャからの詳細読み出しの要求のあった情報の前後１分間の情報を間引くことなくそのままリングメモリ１１から読み出して制御回路９に出力する。
【００４９】
すなわち、例えば、図３中”ＤＴ２２”に示す間引き読み出された情報に対して詳細読み出しの要求があった場合には、図３中”ＤＴ２１”に示すリングメモリ１１に記憶された情報から、図３中”ＤＴ２３”に示す前後の所定の情報を読み出す。
【００５０】
図２中”Ｓ００５”において制御回路９は通信回路１０を制御して読み出した所定の情報を図１中”ＮＴ１１”に示すネットワークを介して図１中”ＰＭ１１”に示すプローブマネージャに対して送信する。
【００５１】
そして、図２中”Ｓ００６”において制御回路９は図１中”ＰＭ１１”に示すプローブマネージャから詳細読み出しの解除要求があったか否かを判断し、もし、詳細読み出し解除要求がなければ図２中”Ｓ００４”に示すステップに戻る。
【００５２】
もし、図２中”Ｓ００６”において詳細読み出しの解除要求があった場合には、図２中”Ｓ００１”に示すステップに戻る。
【００５３】
一方、図４中”Ｓ１０１”において図１中”ＰＭ１１”に示すプローブマネージャは各プローブから情報を受信したか否かを判断し、情報を受信した場合には図４中”Ｓ１０２”において図１中”ＰＭ１１”に示すプローブマネージャは受信情報の内容を分析する。
【００５４】
例えば、図１中”ＰＭ１１”に示すプローブマネージャは受信した情報が間引きされた情報である場合には、間引きされた情報に基づきパケットロス、遅延時間、遅延ゆらぎ、スループット等の通信品質項目についての算出を行うと共に、予め設定された値と受信した情報を比較し正常／異常を判断し、受信した情報を適宜表示したり蓄積する。
【００５５】
また、例えば、図１中”ＰＭ１１”に示すプローブマネージャは受信した情報が詳細読み出しされた情報である場合には、詳細読み出しされた情報に基づきパケットロス、遅延時間、遅延ゆらぎ、スループット等の通信品質項目についての算出を行うと共に、予め設定された値と受信した情報を比較し正常／異常を判断し、受信した情報を適宜表示したり蓄積する。
【００５６】
図４中”Ｓ１０３”において図１中”ＰＭ１１”に示すプローブマネージャは受信情報の分析結果、受信情報が異常であるか否かを判断し、もし、異常である場合には、図４中”Ｓ１０４”において図１中”ＰＭ１１”に示すプローブマネージャは図１中”ＮＴ１１”に示すネットワークを介して当該情報を送信してきたプローブに対して、受信情報に対する詳細読み出し要求を送信し、図４中”Ｓ１０１”に示すステップに戻る。
【００５７】
もし、図４中”Ｓ１０３”において正常と判断された場合には、図４中”Ｓ１０５”において図１中”ＰＭ１１”に示すプローブマネージャは図１中”ＮＴ１１”に示すネットワークを介して当該情報を送信してきたプローブに対して詳細読み出し解除要求を送信し、図４中”Ｓ１０１”に示すステップに戻る。
【００５８】
この結果、正常時には情報を間引いて送信情報として送信し、必要に応じて詳細な情報を送信情報として送信することにより、全体としてプローブとプローブマネージャとの間の通信の情報量を減少させることが可能になる。また、異常時には詳細な情報が取得できるので正確な異常解析等が可能になる。
【００５９】
例えば、上述の事例では正常時には１分に１回１秒分の情報をプローブマネージャに送信しているので、正常時の情報量は”１／６０”に減少させることができる。
【００６０】
なお、図１に示す実施例では説明の簡単のために、制御回路９、メモリ制御回路１２及びメモリ制御回路１３をそれぞれ別個に記載しているが、勿論、１つの制御回路９に全ての制御を行わせても構わない。
【００６１】
また、図１に示す実施例では説明の簡単のために、リングメモリ１１に対して書込回路５及び読出回路７を設けているが、メモリ制御回路１２若しくはメモリ制御回路１３によって情報をリングメモリ１１に書き込む機能や、リングメモリ１１から情報を読み出す機能を実現することにより、書込回路５及び読出回路７は不要になる。
【００６２】
また、図１に示す実施例の説明に際してはプローブ５０ａが異常時に当該情報の前後の所定の情報を読み出してプローブマネージャに送信しているが、詳細な情報を送信するのではなく、メモリ制御回路１３を制御して間引きの間隔を段階的に変化させて送信しても構わない。
【００６３】
すなわち、プローブマネージャで異常が検出された場合、即座に詳細情報を送信するのではなく、現状よりも間引きの間隔を短くした情報を送信し、その後、プローブマネージャからのより詳細な情報の要求があった場合にはさらに間引きの間隔を短くした情報を送信して行く。
【００６４】
例えば、正常時には１分に１回１秒分の情報をプローブマネージャに送信し、異常が検出された場合、３０秒に１回１秒分の情報をプローブマネージャに送信し、さらに、詳細な情報の要求があった場合には１０秒に１回１秒分の情報をプローブマネージャに送信する。
【００６５】
すなわち、図６はこのような情報の読み出し方を説明するタイミング図であり、図６中”ＤＴ４１”に示すリングメモリ１１に記憶された情報から、図６中”ＩＴ４１”に示す間引き間隔で情報を読み出して行く。
【００６６】
そして、もし、図６中”ＤＴ４２”に示す間引き読み出された情報に対して詳細読み出しの要求があった場合には、図６中”ＩＴ４２”に示す間引き間隔で情報を読み出して行く。
【００６７】
さらに、もし、図６中”ＤＴ４３”に示す間引き読み出された情報に対して詳細読み出しの要求があった場合には、図６中”ＩＴ４３”に示す間引き間隔で情報を読み出して行く。
【００６８】
この場合には、必要に応じてメモリ制御回路１３を制御して間引きの間隔を変化させてプローブマネージャに送信することにより、ネットワーク負荷がある時点に集中することを防止できる。
【００６９】
また、図１に示す実施例の説明に際してはプローブ５０ａが異常時に当該情報の前後の所定の情報を読み出してプローブマネージャに送信しているが、詳細な情報を一度に送信するのではなく、ネットワーク負荷に応じて詳細な情報を分割して送信しても構わない。
【００７０】
この場合には、ネットワーク負荷に応じて詳細な情報を分割してプローブマネージャに時分割で送信することにより、ネットワーク負荷がある時点に集中することを防止できる。
【００７１】
また、異常時に詳細情報（若しくは、間引き間隔を短くした情報）を送信する場合には、既に送信した情報を除いて送信しても構わない。この場合には重複した情報の送信を防ぐことができるので、全体としてプローブとプローブマネージャとの間の通信の情報量を減少させることが可能になる。
【００７２】
また、図１に示す実施例ではプローブ５０ａが”異常時”に詳細な情報をプローブマネージャに送信しているが、特に”異常時”に限定されるものではなく、プローブマネージャ側で詳細な情報を必要とする場合にも詳細読み出し要求を行っても構わない。
【００７３】
図１に示す実施例の説明では、プローブマネージャが能動的に詳細読み出し要求を解除しているが、勿論、これに限定される訳ではない。例えば、プローブ５０ａが詳細読み出し要求により詳細情報を送信した時点で自主的に詳細読み出し要求を解除したり、最初の詳細読み出し要求時から一定時間経過後に自主的に詳細読み出し要求を解除ても構わない。
【００７４】
この場合には、プローブ５０ａにより詳細読み出し要求が自動的に解除されるので、プローブマネージャに不具合が生じても詳細情報の送信は解除されるので、全体としてプローブとプローブマネージャとの間の通信の情報量を減少させることが可能になる。
【００７５】
また、図１に示す実施例では説明の簡単のために図１中”ＰＭ１１”に示すプローブマネージャ、図１中”ＰＢ１１”及び”ＰＢ１２”に示すプローブを別個に記載しているが、図１中”ＰＢ１１”若しくは”ＰＢ１２”に示す何れかのプローブにプローブマネージャの機能を統合しても構わない。
【００７６】
この場合には、プローブマネージャの機能が統合されたプローブではプローブマネージャに対する通信がなくなるので、全体としてプローブとプローブマネージャとの間の通信の情報量を減少させることが可能になる。
【００７７】
また、リングメモリ１１としては半導体メモリを例示しているが、勿論これに限定される訳ではなくハードディスク等の磁気ディスクでも良く、半導体メモリと磁気ディスクの組合わせであっても良い。
【００７８】
【発明の効果】
以上説明したことから明らかなように、本発明によれば次のような効果がある。
請求項１，２，５，６，７，８及び請求項９の発明によれば、正常時には情報を間引いて送信情報として送信し、必要に応じて詳細な情報を送信情報として送信することにより、全体としてプローブとプローブマネージャとの間の通信の情報量を減少させることが可能になる。また、異常時には詳細な情報が取得できるので正確な異常解析等が可能になる。
【００７９】
また、請求項３及び請求項４の発明によれば、必要に応じてメモリ制御回路を制御して間引きの間隔を変化させてプローブマネージャに送信する、若しくは、ネットワーク負荷に応じて詳細な情報を分割してプローブマネージャに時分割で送信することにより、ネットワーク負荷がある時点に集中することを防止できる。
【図面の簡単な説明】
【図１】本発明に係るネットワーク品質評価装置の一実施例を示す構成ブロック図である。
【図２】制御回路の動作を説明するフロー図である。
【図３】情報の読み出し方を説明するタイミング図である。
【図４】リングメモリの記憶動作を説明する説明図である。
【図５】プローブマネージャの動作を説明するフロー図である。
【図６】情報の読み出し方を説明するタイミング図である。
【図７】従来のネットワーク品質評価装置の一例を示す構成ブロック図である。
【符号の説明】
１  タップ回路
２  物理層回路
３  フィルタ回路
４  タイマ回路
５  書込回路
６  メモリ
７  読出回路
８，１２，１３  メモリ制御回路
９  制御回路
１０  通信回路
１１  リングメモリ
５０，５０ａ  プローブ
５１  取り込み手段
【図１】
0004264795.tif 000002
【図２】
0004264795.tif 000003
【図３】
0004264795.tif 000004
【図４】
0004264795.tif 000005
【図５】
0004264795.tif 000006
【図６】
0004264795.tif 000007
【図７】
0004264795.tif 000008